(57)【要約】  本発明は、移動通信システムにおいて双方向マルチキャストサービスを効率的に設定する方法に関する。双方向サービスは、制御エンティティによって制御された無線セルに位置するユーザ装置に提供される。双方向サービスのダウンリンクデータについては、ダウンリンクマルチキャストサービスフレームワークが利用される。制御エンティティがＵＥへのポイント・ツー・ポイント無線リンクの使用を決定した場合、ダウンリンクフレームワークのシステムリソースは、双方向サービスの設定されたシステムリソースを再利用するように設定される。これは、無線アクセスネットワークの無線リソースを含み、コアネットワークのトンネルを含み得る。本発明は、さらに、システムリソースを設定しマルチキャストサービスデータをＵＥに転送する、ＣＮまたはＲＡＮ内のネットワークエンティティに関する。また、本発明は、双方向マルチキャストサービスを受信する移動端末に関する。【選択図】図３
2009524307.tif 000002
【特許請求の範囲】
【請求項１】
コアネットワークおよび無線アクセスネットワークを有する移動通信システム内でマルチキャストサービスプロバイダから移動端末への双方向マルチキャストサービスを設定する方法であって、前記移動通信システムにおいて、前記双方向マルチキャストサービスのダウンリンクマルチキャストサービスデータは、ダウンリンクマルチキャストサービスフレームワークを利用して前記移動端末に提供されることになっている、
前記双方向マルチキャストサービスのマルチキャストサービスデータを送信するように前記移動通信システムのシステムリソースを設定するステップと、当該設定は、前記移動端末と前記無線アクセスネットワークの無線リソースを制御する制御エンティティとの間の双方向無線ベアラを確立することを含む、
前記マルチキャストサービスの前記ダウンリンクマルチキャストサービスデータを前記移動端末に提供するために前記無線アクセスネットワーク上のポイント・ツー・ポイント接続を利用するか否かを決定するステップと、
ポイント・ツー・ポイント接続を利用すると決定された場合、前記ダウンリンクマルチキャストサービスデータを前記移動端末に提供するために、前記確立された無線ベアラを利用して前記ダウンリンクマルチキャストサービスデータを送信するように、前記ダウンリンクマルチキャストサービスフレームの前記システムリソースを設定するステップと、
を有する方法。
【請求項２】
前記双方向マルチキャストサービスを送信するようにシステムリソースを設定する前記ステップは、前記コアネットワーク内のネットワークエンティティと前記無線アクセスネットワーク内の前記制御エンティティとの間の接続を確立することをさらに含む、請求項１記載の方法。
【請求項３】
前記ダウンリンク送信のために前記システムリソースを設定する前記ステップは、前記コアネットワークの前記ネットワークエンティティによって行われる、請求項２記載の方法。
【請求項４】
前記ダウンリンク送信のために前記システムリソースを設定する前記ステップは、さらに、前記ダウンリンクマルチキャストサービスデータを提供するために前記ネットワークエンティティと前記制御エンティティとの間の前記確立された接続の利用を許容する、請求項３記載の方法。
【請求項５】
前記双方向マルチキャストサービスには、マルチキャストサービス識別子が付与される、請求項１から請求項４のいずれか１つに記載の方法。
【請求項６】
前記マルチキャストサービス識別子は、アクセスポイント名またはＩＰマルチキャストアドレスである、請求項５記載の方法。
【請求項７】
前記双方向マルチキャストサービスの前記マルチキャストサービスデータのために前記システムリソースを設定する前記ステップは、少なくとも前記コアネットワークのネットワークエンティティにおいて、マルチキャストサービス関連制御シグナリング用およびマルチキャストサービスデータ転送用のコンテキストをアクティブにすることをさらに含み、前記コンテキストは、前記マルチキャストサービスを前記マルチキャストサービスプロバイダから前記移動端末に提供するために前記設定されたシステムリソースにおける前記マルチキャストサービスデータのルーティングに関するルーティング情報を含むとともに、マルチキャストサービス識別子を含む、請求項２から請求項６のいずれか１つに記載の方法。
【請求項８】
前記双方向マルチキャストサービスの前記マルチキャストサービスデータのために前記システムリソースを設定する前記ステップは、少なくとも前記コアネットワークのネットワークエンティティにおいて、前記設定されたシステムリソースにおける制御シグナリングのルーティングに関するルーティング情報を含むとともにマルチキャストサービス識別子を含むマルチキャストサービス関連制御シグナリング用の制御シグナリングコンテキストをアクティブにすることと、リソース識別子によって識別される前記設定されたシステムリソースにおいて前記マルチキャストサービスプロバイダから前記移動端末に提供されるマルチキャストサービスデータのルーティングに関するルーティング情報を含むとともにマルチキャストサービス識別子を含むマルチキャストサービスデータ転送用のデータコンテキストをアクティブにすることとをさらに含む、請求項２から請求項６のいずれか１つに記載の方法。
【請求項９】
前記ダウンリンクサービスデータのために前記システムリソースを設定する前記ステップは、少なくとも前記コアネットワークのネットワークエンティティにおいて、前記ダウンリンクマルチキャストサービスフレームワークの移動端末関連コンテキストをアクティブにすることを含み、前記移動端末関連コンテキストは、前記移動端末に関する情報と前記移動端末が登録されているダウンリンクマルチキャストサービスに関する情報とを含む、請求項２から請求項８のいずれか１つに記載の方法。
【請求項１０】
前記制御シグナリングコンテキストに含まれる前記マルチキャストサービス識別子と前記移動端末関連コンテキストとを比較することによって、前記双方向マルチキャストサービスが提供されるとともに前記ダウンリンクマルチキャストサービスフレームワークを使用して前記ダウンリンクマルチキャストサービスデータを提供する移動端末を識別するステップ、
をさらに有する、請求項７および請求項９のいずれか１つに記載の方法。
【請求項１１】
前記双方向マルチキャストサービスの前記マルチキャストサービスデータのために使用されるシステムリソースを特定するステップ、
をさらに有する、請求項１から請求項１０のいずれか１つに記載の方法。
【請求項１２】
前記コアネットワークのネットワークエンティティによって、前記双方向マルチキャストサービスの前記マルチキャストサービスデータのために設定されたシステムリソースを特定し、前記特定されたシステムリソースの双方向無線ベアラを利用して前記ダウンリンクマルチキャストサービスデータを提供するステップ、
をさらに有する、請求項１から請求項１０のいずれか１つに記載の方法。
【請求項１３】
前記ダウンリンクマルチキャストサービスデータを提供するために、前記コアネットワークの前記ネットワークエンティティと前記無線アクセスネットワークの前記制御エンティティとの間の接続を利用するステップ、
をさらに有する、請求項１２記載の方法。
【請求項１４】
前記双方向マルチキャストサービスの前記データコンテキストの前記リソース識別子に基づいて、前記双方向マルチキャストサービスの前記マルチキャストサービスデータのために使用されるシステムリソースを特定するステップ、
をさらに有する、請求項８記載の方法。
【請求項１５】
前記マルチキャストサービス識別子は、前記ダウンリンクマルチキャストサービスデータを提供するために前記ダウンリンクマルチキャストサービスフレームワークを利用するマルチキャストサービスに特有である、請求項５から請求項１４のいずれか１つに記載の方法。
【請求項１６】
前記特有のマルチキャストサービス識別子によって前記マルチキャストサービスが提供される移動端末を識別するステップ、
をさらに有する、請求項１５記載の方法。
【請求項１７】
ポイント・ツー・ポイント接続を利用するか否かの前記決定は、前記制御エンティティによって行われ、
当該方法は、
前記コアネットワークの前記ネットワークエンティティによって、前記無線アクセスネットワークの前記無線リソースを制御する前記制御エンティティに、前記マルチキャストサービスを要求した移動端末に関する情報を付与するステップと、
前記ポイント・ツー・ポイント接続を利用する決定を前記コアネットワークの前記ネットワークエンティティに通知するための通知メッセージを、前記ネットワークエンティティに送信するステップと、前記通知メッセージは、前記ポイント・ツー・ポイント接続を利用する移動端末に関する情報と前記マルチキャストサービスに関する情報とを含む、
をさらに有する、請求項２から請求項１６のいずれか１つに記載の方法。
【請求項１８】
前記コアネットワークの前記ネットワークエンティティと前記制御エンティティとの間の接続は、トンネルであり、前記トンネルの終点は、前記マルチキャストサービスデータ転送用のコンテキストに含まれるトンネル終点識別子によって特定される、請求項２から請求項１７のいずれか１つに記載の方法。
【請求項１９】
前記ダウンリンクマルチキャストサービスデータのために前記システムリソースを設定する前記ステップは、前記確立されたトンネルの前記トンネル終点識別子を前記ダウンリンクマルチキャストサービスデータに割り当てることを含む、請求項１８記載の方法。
【請求項２０】
前記ネットワークエンティティは、前記コアネットワークにおけるゲートウェイＧＰＲＳサポートノードまたはサービングＧＰＲＳサポートノードである、請求項２から請求項１９のいずれか１つに記載の方法。
【請求項２１】
前記無線アクセスネットワーク上の前記ダウンリンク送信のための前記システムリソースの設定は、前記無線アクセスネットワークの前記無線リソースを制御する前記制御エンティティによって行われる、請求項１記載の方法。
【請求項２２】
前記確立された無線ベアラは、無線ベアラ識別子によってアドレス指定され、前記ダウンリンク送信のための前記システムリソースの設定は、前記無線ベアラ識別子を前記ダウンリンクマルチキャストサービスデータに割り当てることを含む、請求項２１記載の方法。
【請求項２３】
前記マルチキャストサービスは、前記移動通信システム内のさらに複数の移動端末に前記ダウンリンクマルチキャストサービスデータを提供するために前記ダウンリンクマルチキャストサービスフレームワークを利用して前記さらに複数の移動端末に提供され、
前記マルチキャストサービスの前記マルチキャストサービスデータを前記さらに複数の移動端末に送信するためにシステムリソースが設定され、
当該方法は、
前記さらに複数の移動端末のために設定されたシステムリソースを介して前記ダウンリンクマルチキャストサービスデータを前記さらに複数の移動端末に送信するステップと、
前記移動端末のために設定されたシステムリソースを介して前記ダウンリンクマルチキャストサービスデータを前記移動端末に送信するステップと、
をさらに有する、請求項１から請求項２２のいずれか１つに記載の方法。
【請求項２４】
前記さらに複数の移動端末のために設定されたシステムリソースは、前記コアネットワークの前記ネットワークエンティティと前記無線アクセスネットワークの前記制御エンティティとの間のトンネル、および、前記無線アクセスネットワークにおける前記制御エンティティと前記さらに複数の移動端末との間のポイント・ツー・マルチポイント接続を含む、請求項２３記載の方法。
【請求項２５】
前記さらに複数の移動端末のために設定されたシステムリソースは、前記無線アクセスネットワークにおける前記制御エンティティと前記さらに複数の移動端末との間のポイント・ツー・マルチポイント接続を含む、請求項２３記載の方法。
【請求項２６】
前記マルチキャストサービスは、マルチキャストサービス識別子によって識別され、
当該方法は、
前記双方向マルチキャストサービスの前記マルチキャストサービスデータのために設定されたシステムリソースを利用して前記ダウンリンクマルチキャストサービスデータを送信するのに使用されるダウンリンクマルチキャストサービスを起動するための起動メッセージを、前記移動端末からダウンリンクマルチキャストサービスサーバに送信するステップ、
をさらに有する、請求項１から請求項２５のいずれか１つに記載の方法。
【請求項２７】
前記ダウンリンクマルチキャストサービスサーバが、前記ダウンリンクマルチキャストサービスデータの受信を前記移動端末に許可するステップと、
許可が成功した場合、前記コアネットワークのネットワークエンティティが、前記双方向マルチキャストサービスのサービスデータの送信のために設定されたシステムリソースを特定するために、前記マルチキャストサービスの前記マルチキャストサービス識別子を含む通知を受信するステップと、
をさらに有する、請求項２６記載の方法。
【請求項２８】
前記設定されたシステムリソースにおける制御シグナリングのルーティングに関するルーティング情報を含む、マルチキャストサービス関連制御シグナリング用の制御シグナリングコンテキスト、または、前記設定されたシステムリソースにおける前記マルチキャストサービスプロバイダから前記移動端末に提供されるマルチキャストサービスデータのルーティングに関するルーティング情報を含む、マルチキャストサービスデータ転送用のデータコンテキストを使用して、前記移動端末から前記ダウンリンクマルチキャストサービスサーバへの前記起動メッセージが送信される接続を特定する、請求項２６記載の方法。
【請求項２９】
前記移動端末は、移動元のソースセルに位置し、前記マルチキャストサービスは、移動先のターゲットセルに位置する、前記移動通信システム内のさらに複数の移動端末に提供され、前記ターゲットセルでは、前記双方向マルチキャストサービスのサービスデータを前記さらに複数の移動端末に提供するためにシステムリソースが設定され、
当該方法は、
前記移動端末を前記ソースセルから前記ターゲットセルにハンドオーバするとき、前記ターゲットセルの前記設定されたシステムリソースを利用して前記マルチキャストサービスを前記移動端末に提供するステップと、前記ソースセルにおいて前記移動端末のために設定されたシステムリソースを解除するステップと、
をさらに有する、請求項１から請求項２８のいずれか１つに記載の方法。
【請求項３０】
前記ターゲットセルの前記設定されたシステムリソースは、前記無線アクセスネットワークの前記制御エンティティと前記さらに複数の移動端末との間の確立されたポイント・ツー・マルチポイント接続を含み、
前記ターゲットセルの前記設定されたシステムリソースを利用する前記ステップは、前記さらに複数の移動端末に対して確立された前記ポイント・ツー・マルチポイント接続を介して、前記ダウンリンクマルチキャストサービスデータを前記移動端末に送信することを含み、
当該方法は、
前記ソースセル内の前記移動端末のために設定された無線ベアラを解除するよう、前記無線アクセスネットワークの前記制御エンティティに通知するステップ、
をさらに有する、請求項２９記載の方法。
【請求項３１】
前記ターゲットセルの前記設定されたシステムリソースは、前記コアネットワークのネットワークエンティティと前記無線アクセスネットワークの前記制御エンティティとの間の確立された接続、および、前記無線アクセスネットワークの前記制御エンティティと前記さらに複数の移動端末との間のポイント・ツー・マルチポイント接続を含み、
前記ターゲットセルの前記設定されたシステムリソースを利用する前記ステップは、前記確立された接続および前記さらに複数の移動端末に対して確立された前記ポイント・ツー・マルチポイント接続を利用して、前記ダウンリンクマルチキャストサービスデータを前記移動端末に送信することを含み、
当該方法は、
前記ソースセル内の前記移動端末のために前記ネットワークエンティティと前記制御エンティティとの間で確立された接続を解除するよう、前記コアネットワークの前記ネットワークエンティティに通知するステップと、
前記ソースセル内の前記移動端末のために設定された無線ベアラを解除するよう、前記無線アクセスネットワークの前記制御エンティティに通知するステップと、
をさらに有する、請求項２９記載の方法。
【請求項３２】
移動通信システム内でアップリンクおよびダウンリンクのデータパケットをユーザ装置に提供することを含むマルチキャストサービス提供方法であって、前記マルチキャストサービスは、ダウンリンクマルチキャストサービスのデータパケットを前記ユーザ装置に送信するためにダウンリンクマルチキャスト対応サービスメカニズムを使用する、
アップリンクデータパケットを前記ユーザ装置に送信するためのアップリンク経路を確立するように前記移動通信システムのネットワークリソースを設定するステップと、当該設定は、前記ユーザ装置と無線アクセスネットワークの無線リソースを制御する制御要素との間の双方向無線接続を設定することを含む、
前記ダウンリンクデータパケットを前記ユーザ装置に送信するために前記無線アクセスネットワーク上のポイント・ツー・ポイント・リンクを設定するか否かを決定するステップと、
ポイント・ツー・ポイント・リンクを設定すると決定された場合、アップリンクマルチキャストサービスデータ設定の前記設定された双方向無線接続を前記ダウンリンクデータパケットの送信に使用するように、前記ダウンリンクマルチキャスト対応サービスメカニズムを設定するステップと、
を有する方法。
【請求項３３】
システムリソースを設定するネットワークエンティティであって、前記ネットワークエンティティは、移動通信システム内の無線アクセスネットワークの一部であり、双方向マルチキャストサービスのダウンリンクマルチキャストサービスデータは、ダウンリンクマルチキャストサービスを利用して移動端末に提供されるようになっている、
前記ネットワークエンティティは、
前記双方向マルチキャストサービスのマルチキャストサービスデータをマルチキャストサービスプロバイダから移動端末に送信するように前記移動通信システムのシステムリソースを設定するプロセッサを有し、当該設定は、前記移動端末と前記無線アクセスネットワークの無線リソースを制御する制御エンティティとの間の双方向無線ベアラを確立することを含む、
前記プロセッサは、前記マルチキャストサービスの前記ダウンリンクマルチキャストサービスデータを前記移動端末に提供するために前記無線アクセスネットワーク上のポイント・ツー・ポイント接続を利用するか否かを決定するようにさらに構成され、
前記ネットワークエンティティは、前記ポイント・ツー・ポイント接続を利用すると決定された場合、ダウンリンクマルチキャストサービスデータを受信し、前記確立された無線ベアラを通じてそれを転送する受信部を有する。
【請求項３４】
システムリソースを設定するネットワークエンティティであって、前記ネットワークエンティティは、移動通信システム内のコアネットワークの一部であり、双方向マルチキャストサービスのダウンリンクマルチキャストサービスデータは、ダウンリンクマルチキャストサービスを利用して移動端末に提供されるようになっている、
前記ネットワークエンティティは、
前記双方向マルチキャストサービスのマルチキャストサービスデータをマルチキャストサービスプロバイダから移動端末に送信するように前記移動通信システムのシステムリソースを設定するプロセッサを有し、当該設定は、前記ネットワークエンティティと前記無線アクセスネットワークの無線リソースを制御する制御エンティティとの間のトンネルを確立することを含む、
前記プロセッサは、前記双方向マルチキャストサービスの前記マルチキャストサービスデータを送信するために前記制御エンティティと前記移動端末との間の無線ベアラを確立するためのシステムリソースを予約するよう前記無線アクセスネットワークの前記制御エンティティに要求し、前記無線アクセスネットワークの前記無線リソースを制御する制御エンティティに前記マルチキャストサービスを要求した移動端末に関する情報を通知するようにさらに構成され、
前記ネットワークエンティティは、前記無線アクセスネットワークの前記制御エンティティからポイント・ツー・ポイント接続を利用するか否かに関する通知メッセージを前記ネットワークエンティティにおいて受信する受信部をさらに有し、前記通知メッセージは、前記ポイント・ツー・ポイント接続を利用する移動端末の識別情報と前記マルチキャストサービスの識別情報とを含む、
前記受信部は、さらに、前記ポイント・ツー・ポイント接続を利用すると決定された場合、前記確立された無線ベアラを利用するために、前記ダウンリンクマルチキャストサービスデータを受信し、前記マルチキャストサービスの前記確立されたトンネルを通じてそれを転送する。
【請求項３５】
システムリソースを設定するネットワークエンティティであって、前記ネットワークエンティティは、移動通信システム内の無線アクセスネットワークの一部であり、前記設定されたシステムリソースは、マルチキャストサービスプロバイダから移動端末への双方向マルチキャストサービスを設定するために利用され、前記双方向マルチキャストサービスのダウンリンクマルチキャストサービスデータは、ダウンリンクマルチキャストサービスを利用して前記移動端末に提供されるようになっている、
前記ネットワークエンティティは、
前記双方向マルチキャストサービスのマルチキャストサービスデータをマルチキャストサービスプロバイダから移動端末に送信するように前記移動通信システムのシステムリソースを設定するプロセッサと、当該設定は、前記移動端末への無線ベアラを確立することを含む、
前記移動通信システム内のコアネットワークのネットワークエンティティから、前記マルチキャストサービスを要求した移動端末に関する情報を含む通知を受信する受信部と、
前記プロセッサは、前記ダウンリンクマルチキャストサービスデータを前記移動端末に提供するために前記無線アクセスネットワーク上のポイント・ツー・ポイント接続を利用するか否かを決定するようにさらに構成され、
前記ネットワークエンティティへの通知を送信する送信部と、前記通知メッセージは、前記ポイント・ツー・ポイント接続を利用する移動端末の識別情報と前記マルチキャストサービスの識別情報とを含む、
を有し、
前記ネットワークエンティティは、前記ポイント・ツー・ポイント接続を利用すると決定された場合、前記ダウンリンクマルチキャストサービスデータを受信し、前記マルチキャストサービスの前記確立された無線ベアラを通じてそれを転送するようにさらに構成されている。
【請求項３６】
前記プロセッサは、請求項２から請求項３２のいずれか１つに記載の方法の各ステップを実行するようにさらに構成されている、請求項３３から請求項３５のいずれか１つに記載のネットワークエンティティ。
【請求項３７】
マルチキャストサービスプロバイダから移動端末への双方向マルチキャストサービスを設定する移動通信システムであって、請求項３３から請求項３６に記載の少なくとも１つのネットワークエンティティをさらに有する移動通信システム。
【請求項３８】
マルチキャストサービスプロバイダによって提供される双方向マルチキャストサービスに加入する、移動通信システム内の移動端末であって、前記移動通信システムにおいて、前記双方向マルチキャストサービスのダウンリンクマルチキャストサービスデータは、ダウンリンクマルチキャストサービスを利用して前記移動端末に提供されるようになっている、
前記移動端末は、
前記双方向マルチキャストサービスのサービスデータを送受信するための、前記無線アクセスネットワーク内の制御エンティティへの無線ベアラを含む、前記移動通信システムのシステムリソースを設定するプロセッサを有し、
前記プロセッサは、さらに、前記ダウンリンクマルチキャストサービスを通じてダウンリンクマルチキャストサービスデータを受信するように前記移動通信システムのシステムリソースを設定し、
前記無線アクセスネットワークにおいてポイント・ツー・ポイント接続が確立されている場合、前記確立された無線ベアラを通じてダウンリンクサービスデータを受信する。
【発明の詳細な説明】
【技術分野】
【０００１】
本発明は、移動通信システムにおいて双方向マルチキャストサービスを設定する方法に関する。本発明は、さらに、コアネットワークまたは無線アクセスネットワークにおけるネットワークエンティティであって移動通信システムのシステムリソースを設定し移動端末にマルチキャストサービスデータを転送するものに関する。また、本発明は、双方向マルチキャストサービスを受信する移動端末に関する。
【背景技術】
【０００２】
ユニバーサル移動通信システム（ＵＭＴＳ：Universal Mobile Telecommunications System）等の移動通信システムは、固定、無線、および衛星のネットワークを介して音声とデータの両方のトラヒックを運ぶことができる。これらの通信システムは、絶え間なく進化しており、ＩＰベースのリアルタイムの会話またはマルチメディアのサービスを伝送するパケットフレームワークを開発し提供しさえしている。例えば、ＩＰマルチメディアサブシステム（ＩＭＳ：IP Multimedia Subsystem）の標準規格が、３ＧＰＰ（3rd Generation Partnership Project）によって仕様化されている（3GPP TS 23.228 v6.9.0: "IP Multimedia Subsystem (IMS); Stage 2 (Release 6)"参照。これは、参照により本文書に援用され、また、http://www.3gpp.orgから入手可能である）。ＩＭＳは、特に、高品位音声サービスやビデオ電話、メッセージング、会議（conferencing）、プッシュサービス等のリアルタイムの移動および固定のマルチメディア移動通信サービスを可能にし強化するように設計されている。ＩＭＳは、標準のインターネットプロトコル（ＩＰ：Internet Protocol）により運用され、パケット交換方式および回線交換方式の両方の電話システムをサポートする。
【０００３】
一般に、無線ネットワークの特定セル内の多数ユーザに同一データを提供することを時々含む、プッシュ・トゥ・トーク（ＰｏＣ：Push to Talk over Cellular）やビデオ会議サービス等のＩＭＳサービスを受信するために、多数のユーザが加入している。しかし、ＩＭＳ標準規格は、サービスが提供される各移動端末への個別無線ベアラ接続のために無線アクセスネットワーク（ＲＡＮ：Radio Access Network）のシステムリソースを予約することを含めて、ユーザの移動端末（ＭＴ：Mobile Terminal）へのポイント・ツー・ポイント（ＰＴＰ：Point-To-Point）接続のみサポートする。
【０００４】
多数のユーザが同一のサービスを受信する場合には、サービスデータを多数のユーザに送信するポイント・ツー・マルチポイント（ＰＴＭ：Point-To-Multipoint）能力をもつマルチキャスト可能なサービスを使用することが有利であり得る。ＵＭＴＳシステムにおいてＩＭＳサービスを提供する場合には、一般に、無線セル内の多数のユーザにサービスを提供するために、多数の個別無線ベアラの代わりに共有またはブロードキャストの無線ベアラが利用される。これにより、無線アクセスネットワークのシステムリソースが節約可能である。
【０００５】
マルチキャスト可能なサービスとしては、例えば、３ＧＰＰによって同じく標準化されたマルチメディア・ブロードキャスト／マルチキャスト・サービス（ＭＢＭＳ：Multimedia Broadcast/Multicast Service）がある（3GPP TS 23.246 v6.6.0: "Multimedia Broadcast/Multicast Service (MBMS); Architecture and functional description (Release 6)"参照。これは、参照により本文書に援用され、また、http://www.3gpp.orgから入手可能である）。ＭＢＭＳサービスは、同一のダウンリンクデータを複数の受信者に無線ネットワークで送信するダウンリンクマルチキャストサービスである。受信者は、一般に、１つの無線チャネル、つまり、ＭＢＭＳサービスデータを受信する共有無線ベアラを共有する。ＭＢＭＳサービスは、リアルタイムの画像および音声またはテキスト等のマルチメディアデータの送信をサポートする。したがって、ＩＭＳサービスをユーザに提供するためにＭＢＭＳサービスもまた利用することができる。異なるセルにおそらく位置する多数のユーザに同一のデータを送信するため、ユーザの特定の移動端末に対するセルで使用される接続タイプ（ＰＴＰまたはＰＴＭ）は、各セルに位置するユーザの数に基づく。
【０００６】
以下、3GPP TSG-SA WG2 #48, S2-052305, Sophia Antipolis, France 5th - 9thSeptember 2005, "Enable IMS service with multicast capability"（これは、参照により本文書に援用され、また、http://www.3gpp.org/ftp/tsg_sa/WG2_Arch/TSGS2_48_Sophia_Antipolis/Docs/から入手可能である）に記載された、ダウンリンクデータを提供するＭＢＭＳサービスフレームワークを利用したＩＭＳサービス等の典型的な設定手順を、簡単に説明する。
【０００７】
まず、ユーザは、無線アクセスネットワークおよびコアネットワークを介してＩＮＶＩＴＥメッセージをサービスプロバイダに送信することにより、ＩＭＳサービスに加入する。サービスを受信することをユーザに許可した後、サービスプロバイダは、ゲートウェイＧＰＲＳサポートノード（ＧＧＳＮ：Gateway GPRS Support Node）−サービスＧＰＲＳサポートノード（ＳＧＳＮ：Service GPRS Support Node）とＲＡＮの無線送信リソースを制御する無線ネットワークコントローラ（ＲＮＣ：Radio Network Controller）との間のトンネルを設定することを含めて、移動通信システムのシステムリソースの予約を開始する。さらに、シグナリングおよびＵＥからサービスプロバイダへのアップリンク接続のために、ＲＮＣとユーザ装置（ＵＥ：User Equipment）との間に無線ベアラが確立される。通信するためには、ＳＩＰ（Session Initiation Protocol）のような、セッション設定シグナリングプロトコル、セッション設定プロトコル、および制御プロトコルが使用される。
【０００８】
ダウンリンクデータをユーザに提供するために、ＭＢＭＳサービスフレームワークが利用される。ＭＢＭＳサービスの設定手順は、例えば、ＩＭＳサービスプロバイダによって開始することができる。また、ＭＢＭＳ設定は、ダウンリンクＩＭＳデータを送信するシステムリソースの設定を含んでいる。したがって、この設定は、一般に、各ネットワークノードで確立されたコンテキストによって記述された、ＧＧＳＮ、ＳＧＳＮ、およびＲＮＣの間のトンネルを確立することを含み、さらに、ＩＭＳサービスを受信するセルに位置するユーザ数に応じて、ＲＡＮの共有または個別無線ベアラを設定することを含んでいる。
【発明の開示】
【発明が解決しようとする課題】
【０００９】
本発明の目的は、双方向マルチキャストサービスにおいてダウンリンクサービスデータを提供するために、ダウンリンクマルチキャストサービスフレームワークを利用して双方向マルチキャストサービスの効率的な設定を可能にすることである。
【課題を解決するための手段】
【００１０】
この目的は、独立請求項の主題によって解決される。本発明の有利な実施形態は、従属請求項の主題である。
【００１１】
本発明の１つの態様は、すでに確立されたシステムリソースをダウンリンクサービスデータ送信のために再利用することである。設定手順中に、無線ベアラが双方向サービスの始めのサービスのために確立される。ダウンリンクサービスデータがＰＴＰ接続を介して移動端末に提供される場合、ダウンリンクデータ送信のためにダウンリンクマルチキャストサービスフレームに追加のシステムリソースを割り当てる代わりに、すでに確立されたシステムリソースを、ダウンリンクサービスデータを供給するためにダウンリンクマルチキャストサービスフレームワークによって使用される。
【００１２】
本発明の一実施形態によれば、移動通信システム内でマルチキャストサービスプロバイダから移動端末への双方向マルチキャストサービスを設定する方法が提供される。前記移動通信システムは、コアネットワークおよび無線アクセスネットワークを有する。前記移動通信システムにおいて、前記双方向マルチキャストサービスのダウンリンクマルチキャストサービスデータは、ダウンリンクマルチキャストサービスフレームワークを利用して前記移動端末に提供されることになっている。当該方法によれば、前記双方向マルチキャストサービスのマルチキャストサービスデータを送信するように前記移動通信システムのシステムリソースが設定される。当該設定は、前記移動端末と前記無線アクセスネットワークの無線リソースを制御する制御エンティティとの間の双方向無線ベアラを確立することを含み得る。さらに、前記マルチキャストサービスの前記ダウンリンクマルチキャストサービスデータを前記移動端末に提供するために前記無線アクセスネットワーク上のポイント・ツー・ポイント接続を利用するか否かが決定される。ポイント・ツー・ポイント接続を利用すると決定された場合、前記ダウンリンクマルチキャストサービスフレームの前記システムリソースは、前記ダウンリンクマルチキャストサービスデータを前記移動端末に提供するために、前記確立された無線ベアラを利用して前記ダウンリンクマルチキャストサービスデータを送信するように設定される。
【００１３】
本発明の他の実施形態において、前記双方向マルチキャストサービスを送信するようにシステムリソースを設定することは、前記コアネットワーク内のネットワークエンティティと前記無線アクセスネットワーク内の前記制御エンティティとの間の接続を確立することをさらに含む。
【００１４】
この実施形態の一変形例によれば、前記ダウンリンク送信のために前記システムリソースを設定することは、前記コアネットワークの前記ネットワークエンティティによって行われる。
【００１５】
本発明のさらに他の実施形態において、前記ダウンリンク送信のために前記システムリソースを設定することは、さらに、前記ダウンリンクマルチキャストサービスデータを提供するために前記ネットワークエンティティと前記制御エンティティとの間の前記確立された接続の利用を許容する。
【００１６】
また、本発明の他の実施形態において、前記双方向マルチキャストサービスには、マルチキャストサービス識別子が付与される。この識別子は、有利には、とりわけ当該マルチキャストサービスを識別可能にすることができる。
【００１７】
本発明のさらなる実施形態によれば、前記マルチキャストサービス識別子は、アクセスポイント名またはＩＰマルチキャストアドレスである。マルチキャストサービスのアクセスポイント名やＩＰマルチキャストアドレスをマルチキャストサービス識別子として使用することは、それらが、通常、移動通信システム内のどのエンティティを通じても入手可能であるという利点をもち得る。
【００１８】
本発明の上記実施形態の一変形例において、前記双方向マルチキャストサービスの前記マルチキャストサービスデータのために前記システムリソースを設定することは、少なくとも前記コアネットワークのネットワークエンティティにおいて、マルチキャストサービス関連制御シグナリング用およびマルチキャストサービスデータ転送用のコンテキストをアクティブにすることをさらに含む。前記コンテキストは、前記マルチキャストサービスを前記マルチキャストサービスプロバイダから前記移動端末に提供するために前記設定されたシステムリソースにおける前記マルチキャストサービスデータのルーティングに関するルーティング情報を含み得る。また、前記コンテキストは、前記双方向マルチキャストサービスを識別するマルチキャストサービス識別子をも含み得る。
【００１９】
本発明の他の実施形態によれば、前記双方向マルチキャストサービスの前記マルチキャストサービスデータのために前記システムリソースを設定することは、前記設定されたシステムリソースにおける制御シグナリングのルーティングに関するルーティング情報を含むとともにマルチキャストサービス識別子を含むマルチキャストサービス関連制御シグナリング用の制御シグナリングコンテキストをアクティブにすることをさらに含む。マルチキャストサービスデータ転送用のデータコンテキストは、リソース識別子によって識別さる前記設定されたシステムリソースにおいて前記マルチキャストサービスプロバイダから前記移動端末に提供されるマルチキャストサービスデータのルーティングに関するルーティング情報を含み得る。前記データコンテキストは、少なくとも前記コアネットワークのネットワークエンティティにおいて、マルチキャストサービス識別子をさらに含み得る。
【００２０】
本発明のさらに他の実施形態において、前記ダウンリンクサービスデータのために前記システムリソースを設定することは、少なくとも前記コアネットワークのネットワークエンティティにおいて、前記ダウンリンクマルチキャストサービスフレームワークの移動端末関連コンテキストをアクティブにすることを含む。前記移動端末関連コンテキストは、前記移動端末が登録されているダウンリンクマルチキャストサービスに関する情報を含み得る。さらに、それは、選択的に、前記移動端末に関する情報を含み得る。
【００２１】
本発明の他の実施形態によれば、当該方法は、さらに、前記双方向マルチキャストサービスが提供されるとともに前記ダウンリンクマルチキャストサービスフレームワークを使用して前記ダウンリンクマルチキャストサービスデータを提供する移動端末を識別する。当該識別は、例えば、前記制御シグナリングコンテキストに含まれる前記マルチキャストサービス識別子と前記移動端末関連コンテキストとを比較することによって実行され得る。
【００２２】
本発明の他の実施形態は、前記双方向マルチキャストサービスの前記マルチキャストサービスデータのために使用されるシステムリソースを特定することを提案する。
【００２３】
本発明のさらに他の実施形態において、前記コアネットワークのネットワークエンティティが、前記双方向マルチキャストサービスのマルチキャストサービスデータのために設定されたシステムリソースを特定し、前記特定されたシステムリソースの双方向無線ベアラを利用して前記ダウンリンクマルチキャストサービスデータを提供する。
【００２４】
本発明の上記実施形態の一変形例において、前記ダウンリンクマルチキャストサービスデータを提供するために、前記コアネットワークの前記ネットワークエンティティと前記無線アクセスネットワークの前記制御エンティティとの間の接続を利用可能である。これは、前記コアネットワークの前記エンティティと前記無線アクセスネットワークの前記制御エンティティとの間の接続を再利用することを含み得る。
【００２５】
本発明の他の実施形態において、当該方法は、前記双方向マルチキャストサービスの前記データコンテキストの前記リソース識別子に基づいて、前記双方向マルチキャストサービスの前記マルチキャストサービスデータのために使用されるシステムリソースを特定することをさらに含む。
【００２６】
本発明の他の実施形態によれば、前記マルチキャストサービス識別子は、前記ダウンリンクマルチキャストサービスデータを提供するために前記ダウンリンクマルチキャストサービスフレームワークを利用するマルチキャストサービスに特有である。特にダウンリンクマルチキャストサービスフレームワークによる双方向マルチキャストサービスに対して、特有のマルチキャストサービス識別子を定義することによって、双方向マルチキャストサービスを識別するために比較を行う必要がなくなる。
【００２７】
本発明の上記実施形態の一変形例は、さらに、前記特有のマルチキャストサービス識別子によって前記マルチキャストサービスが提供される移動端末を識別する。
【００２８】
本発明のさらに他の実施形態において、ポイント・ツー・ポイント接続を利用するか否かの前記決定は、前記制御エンティティによって行われる。前記無線アクセスネットワークの前記無線リソースを制御する前記制御エンティティは、前記コアネットワークの前記ネットワークエンティティによって、前記マルチキャストサービスを要求した特定の移動端末に関する情報が付与され得る。さらに、前記ポイント・ツー・ポイント接続を利用する決定を前記ネットワークエンティティに通知するための通知メッセージが、前記コアネットワークの前記ネットワークエンティティに送信される。前記通知メッセージは、前記ポイント・ツー・ポイント接続を利用する移動端末に関する情報と前記移動端末に提供される前記双方向マルチキャストサービスに関する情報とを含む。
【００２９】
本発明の他の実施形態によれば、前記コアネットワークの前記ネットワークエンティティと前記制御エンティティとの間の接続は、トンネルである。前記トンネルの各終点は、前記マルチキャストサービスデータ転送用のコンテキストに含まれるトンネル終点識別子によって特定される。
【００３０】
本発明のさらに他の実施形態において、前記ダウンリンクマルチキャストサービスデータのために前記システムリソースを設定することは、前記確立されたトンネルの前記トンネル終点識別子を前記ダウンリンクマルチキャストサービスデータに関連付けることを含む。トンネル終点識別子をダウンリンクサービスデータに関連付けることによって、確立された無線ベアラへの間接的なリンクを得ることができ、すでに確立された無線ベアラをダウンリンクマルチキャストサービスデータの送信に使用することができる。
【００３１】
本発明の他の実施形態によれば、前記ネットワークエンティティは、前記コアネットワークにおけるゲートウェイＧＰＲＳサポートノードまたはサービングＧＰＲＳサポートノードである。
【００３２】
本発明の上記実施形態の一変形例において、前記無線アクセスネットワーク上の前記ダウンリンク送信のための前記システムリソースの設定は、前記無線アクセスネットワークの前記無線リソースを制御する前記制御エンティティによって行われる。
【００３３】
本発明の他の実施形態によれば、前記確立された無線ベアラは、無線ベアラ識別子によってアドレス指定され、前記ダウンリンク送信のための前記システムリソースの設定は、前記無線ベアラ識別子を前記ダウンリンクマルチキャストサービスデータに割り当てることを含む。
【００３４】
本発明の他の実施形態において、前記双方向マルチキャストサービスは、前記移動通信システム内のさらに複数の移動端末に提供される。そのため、前記ダウンリンクマルチキャストサービスフレームワークを利用して前記さらに複数の移動端末に前記ダウンリンクマルチキャストサービスデータを提供する。前記さらに複数の移動端末に前記マルチキャストサービスのマルチキャストサービスデータを送信するためにシステムリソースが設定される。ダウンリンクマルチキャストサービスデータは、前記さらに複数の移動端末のために設定されたシステムリソースを介して前記さらに複数の移動端末に送信され、また、前記ダウンリンクマルチキャストサービスデータは、前記移動端末のために設定されたシステムリソースを介して前記移動端末に送信される。
【００３５】
本発明の上記実施形態の一変形例において、前記さらに複数の移動端末のために設定されたシステムリソースは、前記コアネットワークの前記ネットワークエンティティと前記無線アクセスネットワークの前記制御エンティティとの間のトンネル、および、前記無線アクセスネットワークにおける前記制御エンティティと前記さらに複数の移動端末との間のポイント・ツー・マルチポイント接続を含む。
【００３６】
本発明のさらに他の実施形態によれば、前記さらに複数の移動端末のために設定されたシステムリソースは、前記無線アクセスネットワークにおける前記制御エンティティと前記さらに複数の移動端末との間のポイント・ツー・マルチポイント接続を含む。この実施形態は、ポイント・ツー・マルチポイント接続およびポイント・ツー・ポイント接続を介して複数のユーザに同一のマルチキャストサービスデータを提供することを可能にする。
【００３７】
本発明のさらに他の実施形態において、前記マルチキャストサービスは、マルチキャストサービス識別子によって識別される。ダウンリンクマルチキャストサービスデータを前記移動端末に送信するのに使用されるダウンリンクマルチキャストサービスを起動するために、起動メッセージが、前記移動端末からダウンリンクマルチキャストサービスサーバに送信される。そのため、前記双方向マルチキャストサービスの前記マルチキャストサービスデータのために設定されたシステムリソースが利用される。
【００３８】
本発明の他の実施形態は、前記ダウンリンクマルチキャストサービスサーバが、前記ダウンリンクマルチキャストサービスデータの受信を前記移動端末に許可することを提案する。許可が成功した場合、前記双方向マルチキャストサービスのサービスデータの送信のために設定されたシステムリソースを特定するために、前記マルチキャストサービスの前記マルチキャストサービス識別子を含む通知が、前記コアネットワークのネットワークエンティティによって受信される。
【００３９】
本発明のさらに他の実施形態によれば、前記設定されたシステムリソースにおける制御シグナリングのルーティングに関するルーティング情報を含む、マルチキャストサービス関連制御シグナリング用の制御シグナリングコンテキストを使用して、前記移動端末から前記ダウンリンクマルチキャストサービスサーバへの前記起動メッセージが送信される接続を特定する。あるいは、前記設定されたシステムリソースにおける前記マルチキャストサービスプロバイダから前記移動端末に提供されるマルチキャストサービスデータのルーティングに関するルーティング情報を含む、マルチキャストサービスデータ転送用のデータコンテキストを使用して、前記移動端末から前記ダウンリンクマルチキャストサービスサーバへの前記起動メッセージが送信される接続を特定することもできる。すでに利用可能なシステムリソースを使用して前記起動メッセージを送信するため、追加のリソースを予約する必要がない。
【００４０】
本発明の上記実施形態の一変形例において、前記移動端末は、移動元のソースセルに位置し、また、前記マルチキャストサービスは、移動先のターゲットセルに位置する、前記移動通信システム内のさらに複数の移動端末に提供される。前記ターゲットセルでは、前記双方向マルチキャストサービスのサービスデータを前記さらに複数の移動端末に提供するために、システムリソースが設定される。前記移動端末を前記ソースセルから前記ターゲットセルにハンドオーバするとき、前記ターゲットセルの前記設定されたシステムリソースを利用して前記マルチキャストサービスを前記移動端末に提供し、また、前記ソースセルにおいて前記移動端末のために設定されたシステムリソースを解除することができる。
【００４１】
他の実施形態において、前記ターゲットセルの前記設定されたシステムリソースは、前記無線アクセスネットワークの前記制御エンティティと前記さらに複数の移動端末との間の確立されたポイント・ツー・マルチポイント接続を含む。さらに、前記ターゲットセルの前記設定されたシステムリソースの利用は、前記さらに複数の移動端末に対して確立された前記ポイント・ツー・マルチポイント接続を介して、前記ダウンリンクマルチキャストサービスデータを前記移動端末に送信することを含む。前記無線アクセスネットワークの前記制御エンティティは、さらに、前記ソースセル内の前記移動端末のために設定された無線ベアラを解除するよう通知されてもよい。
【００４２】
上記実施形態の他の変形例において、前記ターゲットセルの前記設定されたシステムリソースは、前記コアネットワークのネットワークエンティティと前記無線アクセスネットワークの前記制御エンティティとの間の確立された接続、および、前記無線アクセスネットワークの前記制御エンティティと前記さらに複数の移動端末との間のポイント・ツー・マルチポイント接続を含む。さらに、前記ターゲットセルの前記設定されたシステムリソースの利用は、前記確立された接続および前記さらに複数の移動端末に対して確立された前記ポイント・ツー・マルチポイント接続を利用して、前記ダウンリンクマルチキャストサービスデータを前記移動端末に送信することを含む。さらに、前記コアネットワークの前記ネットワークエンティティは、前記ソースセル内の前記移動端末のために前記ネットワークエンティティと前記制御エンティティとの間で確立された接続を解除するよう通知されてもよい。また、前記無線アクセスネットワークの前記制御エンティティは、前記ソースセル内の前記移動端末のために設定された無線ベアラを解除するよう通知されてもよい。
【００４３】
他の実施形態に係る本発明は、移動通信システム内の無線アクセスネットワークに位置しシステムリソースを設定するネットワークエンティティを提供する。双方向マルチキャストサービスのダウンリンクマルチキャストサービスデータは、ダウンリンクマルチキャストサービスを利用して移動端末に提供されるようになっている。
【００４４】
前記ネットワークエンティティは、前記双方向マルチキャストサービスのマルチキャストサービスデータをマルチキャストサービスプロバイダから移動端末に送信するように前記移動通信システムのシステムリソースを設定するプロセッサを有する。当該設定は、前記移動端末と前記無線アクセスネットワークの無線リソースを制御する制御エンティティとの間の双方向無線ベアラを確立することを含み得る。
【００４５】
前記プロセッサは、前記マルチキャストサービスの前記ダウンリンクマルチキャストサービスデータを前記移動端末に提供するために前記無線アクセスネットワーク上のポイント・ツー・ポイント接続を利用するか否かを決定するようにさらに構成されている。加えて、前記ネットワークエンティティは、前記ポイント・ツー・ポイント接続を利用すると決定された場合、ダウンリンクマルチキャストサービスデータを受信し、前記確立された無線ベアラを通じてそれを転送する受信部を有する。
【００４６】
さらに、移動通信システムのコアネットワークに位置しシステムリソースを設定するネットワークエンティティが、本発明の他の実施形態において提供され、前記ネットワークエンティティは、前記コアネットワークの一部である。双方向マルチキャストサービスのダウンリンクマルチキャストサービスデータは、ダウンリンクマルチキャストサービスを利用して移動端末に提供されるようになっている。前記ネットワークエンティティは、前記双方向マルチキャストサービスのマルチキャストサービスデータをマルチキャストサービスプロバイダから移動端末に送信するように前記移動通信システムのシステムリソースを設定するプロセッサを有する。当該設定は、前記ネットワークエンティティと前記無線アクセスネットワークの無線リソースを制御する制御エンティティとの間のトンネルを確立することを含み得る。
【００４７】
前記ネットワークエンティティは、前記双方向マルチキャストサービスのマルチキャストサービスデータを送信するために前記制御エンティティと前記移動端末との間の無線ベアラを確立するためのシステムリソースを予約するよう前記無線アクセスネットワークの前記制御エンティティに要求する送信部をさらに有する。前記プロセッサは、前記無線アクセスネットワークの前記無線リソースを制御する制御エンティティに前記マルチキャストサービスを要求した移動端末に関する情報を通知する。
【００４８】
さらに、前記ネットワークエンティティは、ポイント・ツー・ポイント接続を利用するか否かを前記ネットワークエンティティに通知する通知メッセージを、前記無線アクセスネットワークの前記制御エンティティから受信する受信部を有し得る。前記通知メッセージは、前記ポイント・ツー・ポイント接続を利用する移動端末の識別情報と前記双方向マルチキャストサービスの識別情報とを含む。さらに、前記受信部は、前記ポイント・ツー・ポイント接続を利用すると決定された場合、前記確立された無線ベアラを利用するために、前記ダウンリンクマルチキャストサービスデータを受信し、前記マルチキャストサービスの前記確立されたトンネルを通じてそれを転送するように構成されている。
【００４９】
本発明の他の実施形態は、移動通信システムの無線アクセスネットワークに位置しシステムリソースを設定するネットワークエンティティに関する。前記設定されたシステムリソースは、マルチキャストサービスプロバイダから移動端末への双方向マルチキャストサービスを設定するために利用される。前記双方向マルチキャストサービスのダウンリンクマルチキャストサービスデータは、ダウンリンクマルチキャストサービスフレームワークを利用して前記移動端末に提供されるようになっている。
【００５０】
前記ネットワークエンティティは、前記双方向マルチキャストサービスのマルチキャストサービスデータをマルチキャストサービスプロバイダから移動端末に送信するように前記移動通信システムのシステムリソースを設定するプロセッサを有する。当該設定は、前記移動端末への無線ベアラを確立することを含む。前記ネットワークエンティティは、前記移動通信システム内のコアネットワークのネットワークエンティティから、前記マルチキャストサービスを要求した移動端末に関する情報を含む通知を受信する受信部をさらに有し得る。
【００５１】
前記プロセッサは、前記ダウンリンクマルチキャストサービスデータを前記移動端末に提供するために前記無線アクセスネットワーク上のポイント・ツー・ポイント接続を利用するか否かを決定するように構成され得る。前記ネットワークエンティティには、前記ネットワークエンティティへの通知を送信する送信部が含まれ得る。前記通知メッセージは、前記ポイント・ツー・ポイント接続を利用する移動端末の識別情報と前記マルチキャストサービスの識別情報とを含み得る。前記ネットワークエンティティの前記受信部は、前記ポイント・ツー・ポイント接続を利用すると決定された場合、前記ダウンリンクマルチキャストサービスデータを受信し、前記マルチキャストサービスの前記確立された無線ベアラを通じてそれを転送するようにさらに構成され得る。
【００５２】
本発明のさらに他の実施形態は、マルチキャストサービスプロバイダによって提供される双方向マルチキャストサービスに加入する、移動通信システム内の移動端末を提供する。前記移動通信システムにおいて、前記双方向マルチキャストサービスのダウンリンクマルチキャストサービスデータは、ダウンリンクマルチキャストサービスを利用して前記移動端末に提供されるようになっている。
【００５３】
前記移動端末は、前記双方向マルチキャストサービスのサービスデータを送受信するための、前記無線アクセスネットワーク内の制御エンティティへの無線ベアラを含む、前記移動通信システムのシステムリソースを設定するプロセッサを有する。前記プロセッサは、さらに、前記ダウンリンクマルチキャストサービスを通じてダウンリンクマルチキャストサービスデータを受信するように前記移動通信システムのシステムリソースを設定し得る。前記移動端末は、前記無線アクセスネットワークにおいてポイント・ツー・ポイント接続が確立されている場合、前記確立された無線ベアラを通じて前記双方向マルチキャストサービスのダウンリンクサービスデータを受信する受信部をさらに有する。
【発明を実施するための最良の形態】
【００５４】
以下に、添付の図面を参照して本発明をさらに詳細に説明する。図中の類似のまたは同等の細部は、同一の参照番号を付けてある。
【００５５】
以下のパラグラフでは、本発明の様々な実施形態を説明する。典型的な例を示すという目的でのみ、実施形態の大部分は、ＵＭＴＳ通信システムに関連して概説される。また、以下のセクションで使用される専門用語は、主にＵＭＴＳの用語に関する。しかし、ＵＭＴＳアーキテクチャに関連して使用する用語と実施形態の説明は、本発明の原理と概念を上記システムに限定するものではない。
【００５６】
また、前述の背景技術のセクションで述べた詳細な説明は、以下に説明する主にＵＭＴＳに特有の典型的な実施例をよりよく理解してもらうためのものにすぎず、移動通信ネットワークにおけるプロセスおよび機能のここで述べた特定の実現に本発明を限定するものと理解すべきではない。
【００５７】
本発明によれば、無線ベアラは、無線アクセスネットワーク内の制御エンティティと１つまたは複数のユーザ端末との間の論理的接続として定義することができる。さらに、１つのユーザ端末に対してポイント・ツー・ポイント（ＰＴＰ）接続が確立される場合には無線ベアラは個別であり得る。あるいは、無線ベアラは、ポイント・ツー・マルチポイント（ＰＴＭ）接続であってもよく、この場合には無線ベアラは同じ無線セル内の複数のユーザ端末によって共有され得る。コンテキストは、サービスデータの送信に使用されることになるシステムリソースを定義する目的で、通信システムの各ネットワークノードにおいて設定される一組の情報セットとして定義することができる。ネットワークエンティティは、サービスプロバイダからのサービスデータの入口ポイントとしての役目を果たし、移動通信システム内のさらに先のエンティティにサービスデータを転送する、移動通信システム内のコアネットワークのエンティティとして定義することができる。例えば、標準的なＵＭＴＳの実現では、ネットワークエンティティは、ゲートウェイＧＰＲＳサポートノード（ＧＧＳＮ）またはサービスＧＰＲＳサポートノード（ＳＧＳＮ）であると考えることができる。また、他の実現によれば、ネットワークエンティティはゲートウェイであると考えることもできる。
【００５８】
また、制御エンティティは、無線アクセスネットワーク内の無線リソースを制御する、移動通信システム内の無線アクセスネットワークのエンティティとして定義することができる。典型的なＵＭＴＳの実現では、制御エンティティは、無線ネットワークコントローラ（ＲＮＣ）またはノードＢであると考えることができる。制御エンティティは、一般に、その制御下の移動端末への無線ベアラの設定を行う役目を担う。
【００５９】
移動通信システム内のシステムリソースの設定は、ユーザ端末とサービスプロバイダとの間の必要な接続の確立として定義することができる。無線アクセスネットワークにおいては、無線ベアラが設定され、その後にＲＡＮの必要なリソースがこの無線ベアラ用に明確に予約される。制御ネットワークにおいては、システムリソースの設定は、コアネットワークのネットワークエンティティとＲＡＮの制御エンティティとの間の接続を含み得る。典型的なＵＭＴＳの実現では、コアネットワーク内の設定されたシステムリソースは、ＳＧＳＮとＧＧＳＮ間およびＳＧＳＮとＲＮＣ間のトンネルを含み得る。コアネットワーク内のトンネルの設定時に、システムリソースが特定のトンネル用に明確に予約されることも、または予約されないこともあり得る。
【００６０】
図１は、本発明の一実施形態による移動通信システムを示す図である。サービスプロバイダ１０１は、ネットワークエンティティ１０２と制御エンティティ１０３を介して双方向マルチキャストサービスをＵＥ１０５へ提供する。双方向マルチキャストサービスは、多数のユーザ装置にサービスデータを提供し、双方向マルチキャストサービスに登録したユーザ装置からその後データを受信することにより定義される。ネットワークエンティティ１０２は、移動通信システムのコアネットワークの一部である。制御エンティティ１０３は、移動通信システムの無線アクセスネットワーク（ＲＡＮ）の一部であり、ＲＡＮ内の無線リソースを制御する。双方向マルチキャストサービスのサービスデータを送信するためにシステムリソースが設定され、これは制御エンティティ１０３からＵＥ１０５への双方向無線ベアラ１０４の確立を含んでいる。双方向マルチキャストサービスのダウンリンクデータをＵＥ１０５に送信するために、ダウンリンクマルチキャストサービスフレームワークが利用される。
【００６１】
ダウンリンクの提供のためのダウンリンクマルチキャストサービスフレームワークに関するシステムリソースの設定は、ＵＥ１０５へのＰＴＰまたはＰＴＭ接続のどちらを使用するかについての制御エンティティの決定に依存する。本発明の実施形態によれば、制御エンティティ１０３がＰＴＰ接続の使用を決定した場合、ダウンリンク用のシステムリソースは、新しい無線ベアラを確立する代わりに、双方向マルチキャストサービスのダウンリンクサービスデータの提供のために双方向マルチキャストサービス設定のすでに確立された無線ベアラ１０４を使用するように設定される。
【００６２】
また、本発明の他の実施形態では、双方向マルチキャストサービスのためにネットワークエンティティ１０２と制御エンティティ１０３との間の接続が設定される。ダウンリンクマルチキャストサービスフレームワークの設定は、ネットワークエンティティにおいて行うことができ、無線ベアラ１０４に加えて、制御エンティティとネットワークエンティティとの間の接続の再利用を可能にする。
【００６３】
上記によれば、１つはアップリンクデータ用で１つはダウンリンクデータ用の２つのデータ経路が、サービスプロバイダ１０１からＵＥ１０５まで定義される。ただし、ＲＡＮにおいては２つのデータ経路は単一の双方向無線接続１０４によって構成される。
【００６４】
図１０は、本発明の実施形態を実現可能である、典型的なＵＭＴＳ通信システムを概略的に示す図である。
【００６５】
双方向マルチキャストサービスは、例えば、ＩＭＳサービスであり、ダウンリンクマルチキャストサービスフレームワークは、ＭＢＭＳサービスによって提供可能である。これに応じて、ＩＭＳアプリケーションサーバ（ＩＭＳ−ＡＳ）１０１６は、複数のユーザ装置１００８〜１０１１にＩＭＳサービスを提供しており、したがって、サービスデータの送信元エンティティとしての役割を果たしている。ＩＭＳサービスは、システムリソースの設定を開始し、各ネットワーク要素であるＧＧＳＮ１００３、ＳＧＳＮ１００４、ＲＮＣ１００５、および各ノードＢ１００６、１００７の間の接続を確立する。さらに、各ノードＢと複数のＵＥのそれぞれとの間の個別接続（ＰＴＰ）が確立される。便宜上、ＩＭＳサービス用のこれらの別々の個別接続は、図１０には図示されていない。
【００６６】
ＩＭＳ−ＡＳ１０１６は、ダウンリンクサービスデータを提供するためにＭＢＭＳサービスを利用する決定をすることができる。そのように決定した結果、ＩＭＳサービスのダウンリンクデータは、ＭＢＭＳサービスのサービスプロバイダであるブロードキャスト・マルチキャストサービスセンター（ＢＭ−ＳＣ：Broadcast-Multicast Service Center）１００１へ送信される。ただし、ＩＭＳ−ＡＳ１０１６とＢＭ−ＳＣ１００１をただ１つのエンティティで実現することも可能である。そのようにした場合には、これら２つのエンティティ間のインタフェースはもはや必要ない。
【００６７】
ＢＭ−ＳＣ１００１は、ＭＢＭＳデータを送信するデータ送信元である。この例では、ＭＢＭＳデータはＩＭＳサービスのダウンリンクデータである。したがって、ＢＭ−ＳＣ１００１は、ＩＭＳダウンリンクデータのスケジューリングを制御することができる。サービスデータは、インターネット等のパケットデータネットワーク（ＰＤＮ：Packet Data Network）１００２を通じて、ゲートウェイＧＰＲＳ（汎用パケット無線サービス）サポートノード（ＧＧＳＮ）１００３へ送信され得る。ＧＧＳＮ１００３は、ＭＢＭＳサービスのＩＰデータの入口ポイントとしての役割を果たす。すべての出入りの接続は、ＧＧＳＮ１００３を通過する。ＧＧＳＮ１００３は、サービスデータを特定のサービングＧＰＲＳサポートノード（ＳＧＳＮ）１００４へ転送する。ＭＢＭＳアーキテクチャ内のＳＧＳＮ１００４の役割は、個々のユーザ装置１００８〜１０１１に対してＭＢＭＳベアラサービス制御機能を実行し、無線アクセスネットワーク（ＲＡＮ）へのＭＢＭＳ送信を行うことである。図１に示したコアネットワークのネットワークエンティティ１０２が、ＵＭＴＳネットワークにおけるＧＧＳＮまたはＳＧＳＮになり得る。したがって、図１の無線アクセスネットワークの制御エンティティ１０３はＲＮＣになり得る。
【００６８】
典型的なＵＭＴＳネットワークは、呼およびデータ接続のスイッチングとルーティングに関与するコアネットワーク（ＣＮ）と、すべての無線関連機能を処理するＲＡＮとに分割される。この例におけるコアネットワークは、ＢＭ−ＳＣ１００１、ＰＤＮ１００２、ＧＧＳＮ１００３およびＳＧＳＮ１００４からなる。コアネットワークの各エンティティから次のエンティティへデータを転送することにより、サービスプロバイダ１００１からＲＡＮのアクセスポイントまでのアップリンクおよびダウンリンクのデータ経路を定義する。ＲＡＮへのこの入口ポイントは、無線ネットワークコントローラ（ＲＮＣ：Radio Network Controller）１００５である。データを転送するためにシステムリソースが設定されるようになっており、これは少なくともＲＮＣからＵＥへの無線ベアラの確立を含むことができ、各エンティティ、ＧＧＳＮ１００３、ＳＧＳＮ１００４およびＲＮＣ１００５の間のトンネル設定をさらに含み得る。
【００６９】
ＲＮＣ１００５は、その領域内にある異なるセル１０１２と１０１３を各ノードＢ１００６と１００７を介して制御する。ＲＮＣ１００５は、マルチメディアデータを特定のセルへ各ノードＢ１００６、１００７を介して選択的に送信する。ユーザ装置１００８〜１０１１は、異なるセルに位置し、ノードＢ１００６と１００７によってそれぞれダウンリンクサービスデータを無線により提供される。ＲＮＣの制御下のノードＢ１００６、１００７は、ＭＢＭＳサービスを提供するために、セルごとに無線インタフェース上の物理チャネル１０１４、１０１５を確立する。
【００７０】
ＲＡＮ内の各ＵＥにサービスを効率よく提供するために、通常は、ＲＮＣによって、データの送信にポイント・ツー・ポイント（個別無線ベアラ）またはポイント・ツー・マルチポイント（共有無線ベアラ）のどちらを使用するかの決定が行われる。ＰＴＰ接続はＵＥとＲＡＮとの間の一対一の接続であり、一方、ＰＴＭ接続はＲＡＮと複数のＵＥとの間の一対多の接続である。無線ベアラは、無線リソースを制御するＲＡＮ内のネットワークエンティティとＵＥとの間の論理的接続として定義することができる。例えば、典型的な移動通信システムにおいては、無線リソースを制御するＲＡＮ内のこのネットワークエンティティはＲＮＣと呼ばれる。この例では、無線ベアラは、ＲＮＣからノードＢへの接続とノードＢからＵＥへの無線インタフェース接続とを含み得る。
【００７１】
どちらの接続形式を使用するかの決定は、例えば、特定のＭＢＭＳサービスを提供されるセルに位置するＵＥの数に基づくことができる。通常は、個別チャネルに比較して効率的な、電力制御を伴わないブロードキャストチャネル（ＰＴＭ接続）を利用するためには、同じコンテンツを受信するＵＥ数がほんの２、３個よりも多いことが必要である。これにより、利用可能な無線リソースの効率的な使用を確実にすることができる。
【００７２】
本発明は、ＭＢＭＳサービスを利用してダウンリンクＩＭＳデータをＲＮＣからＵＥへ提供するために、ＰＴＰ接続（個別無線ベアラ）がＲＮＣによって選択されるケースに関する。図１０に示す典型的な実施形態によれば、ＭＢＭＳサービスのために、ＲＮＣはセル２ １０１３に位置する唯一のＵＥ４ １０１１に対してＰＴＰ接続を確立する。
【００７３】
図１０には図示されていないが、１つのＭＢＭＳサービスに対して複数のＳＧＳＮと各ＳＧＳＮに対して複数のＲＮＣとがサービスを提供するために使用され得る。各ＳＧＳＮは、ダウンリンクサービスを受信する各ＵＥをサーブする各ＲＮＣへ選択的にデータを送信し、各ＲＮＣは、その制御下のセル内の各ＵＥへ選択的にデータを送信する。データストリームの送信先のノードのリストが、ＭＢＭＳアーキテクチャの各ネットワークエンティティに保存可能である。リストに指定されたノードにのみ後で選択的にデータを送信するために、例えば、ＲＮＣのリストがＳＧＳＮに保存され、セルのリストが各ＲＮＣに保存される。
【００７４】
送信用に割り当てるシステムリソースを定義することによってＭＢＭＳサービス提供を確立するために、一組の情報セットからなるコンテキストが、各ＵＥと各ネットワークノードにおいて規定可能である。例えば、ＭＢＭＳサービスアーキテクチャにおいては、ＭＢＭＳ ＵＥコンテキストとＭＥＭＳベアラコンテキストが規定される。ＭＢＭＳ ＵＥコンテキストは、ＵＥが加入した特定のＭＢＭＳベアラサービスに関するＵＥ特有の情報からなり得る。ＭＢＭＳ ＵＥコンテキストは、ＵＥがＭＢＭＳサービスに加入するとき、ＵＥ、ＳＧＳＮ、ＧＧＳＮおよびＢＭ−ＳＣにおいて作成可能である。以下の表１は、典型的なＭＢＭＳ ＵＥコンテキストを例示する。
【００７５】
【表１】
2009524307.tif 000003
【００７６】
これらのパラメータは、サービスプロバイダであるＢＭ−ＳＣ１２０１から当該コンテキストのユーザ装置へのルーティング経路を定義する。指定されたＡＰＮは、ＵＥへ提供されるＭＢＭＳサービスを識別するために使用され得る。ＡＰＮは、例えば、ユーザによって要求されたサービスを特定するためにＧＧＳＮによって使用される論理名、または、ユーザパケットを転送すべき外部のパケットネットワーク内のアクセスポイントのアドレスである。
【００７７】
前述したように、コンテキストは、ネットワークへアクセスするために、または、特定のサービスを提供または受信するために、必要不可欠である。ＩＭＳとＭＢＭＳの２つのサービスに対して異なるコンテキストが別々に規定される。
【００７８】
ＩＭＳサービスについては、典型的に、ＰＤＰコンテキストが、ＩＭＳ制御シグナリングおよびＩＭＳデータのために作成される。あるいは、２つのＰＤＰコンテキストを規定することができる。すなわち、ＩＭＳ制御シグナリングのためには一次的ＰＤＰコンテキストを使用することができ、ＩＭＳデータのためには二次的コンテキストをアクティブにすることができる。
【００７９】
ネットワークノードによって保持されるＩＭＳのＰＤＰコンテキストは、特定のサービスプロバイダへ着信されあるいは特定のサービスプロバイダから発信されるユーザパケットをどのように転送するかを決定するためにネットワークが使用する一組の情報セットからなり得る。例えば、コンテキストは、ＰＤＰパケットを送受信するために移動機によって使用されるＰＤＰアドレスを含み得る。さらに、各トンネルのトンネル終点識別子（ＴＥＩＤ：tunnel endpoint identifier）やＩＭＳサービスを識別するアクセスポイント名（ＡＰＮ）を含むルーティング情報が、ＰＤＰコンテキストに含まれ得る。なお、本発明の機能には関係しないが、サービスの品質プロファイル（Quality of Service Profile）もその中で定義されてもよい。
【００８０】
１つはアップリンク用であり１つはダウンリンクデータ用である２つの別々のデータ経路が、図１０に示されている。以下では、ＲＡＮにおいてＰＴＰ接続をもつＵＥ４ １０１１のみを用いて説明する。ＭＢＭＳサービスプロバイダであるＢＭ−ＳＣ１００１は、ＭＳアプリケーションサーバ（ＩＭＳ−ＡＳ）１０１６からダウンリンクサービスデータを受信する。ダウンリンクサービスデータは、インターネット等のＰＤＮ１００２を通じてＧＧＳＮ１００３へルーティングされ、ＣＮおよびＲＡＮの各ネットワークエンティティによってＵＥ４ １０１１へ転送される。ＵＥ４ １０１１からのアップリンク経路は、ＭＢＭＳサービスのＢＭ−ＳＣ１００１経由の遠回りはしないでＩＭＳ−ＡＳ１０１６へ直接進む。アップリンク経路上の各ネットワークエンティティは、ＵＥ４ １０１１、ＲＮＣ１００５、ＳＧＳＮ１００４、ＧＧＳＮ１００３、ＰＤＮ１００２およびＩＭＳ−ＡＳ１０１６の順になっている。
【００８１】
図１１のシーケンス図は、ＵＥへダウンリンクサービスデータを提供するためにＭＢＭＳのマルチキャスト機能を使用する、ＩＭＳサービス提供の論理的シーケンスを概略的に示す。
【００８２】
まず、ＵＥ４ １０１１は、ＩＭＳ−ＭＢＭＳサービスへの登録を行うことができる。ＩＭＳ−ＭＢＭＳサービスという用語は、ダウンリンクの提供のためにＭＢＭＳサービスを利用するＩＭＳサービスを意味する。ダウンリンクデータを提供するためにＭＢＭＳサービスを利用するためには、ＭＢＭＳサービスを起動する必要があり、必要なコンテキストが規定される。
【００８３】
アクティブにされたＩＭＳ ＰＤＰコンテキストに従って、システムリソースを設定することができる。これは、例えば、ＧＧＳＮ１００３とＳＧＳＮ１００４の間のトンネルおよびＳＧＳＮ１００４とＲＮＣ１００５の間のトンネルの確立を含み得る。また、ＲＮＣ２０６とＵＥ４ １０１１の間に無線ベアラが確立され得る。無線ベアラは、無線ベアラＩＤによって識別可能である。無線ベアラＩＤは、例えば、ＳＧＳＮ１００４、ＲＮＣ１００５およびＵＥ４ １０１１に記憶しておくことができる。
【００８４】
その後、ＭＢＭＳサービス用のＵＭＴＳネットワークのシステムリソースも、規定されたコンテキストに従って設定される。従来のＭＢＭＳの設定手順では、これはＧＧＳＮ１００３、ＳＧＳＮ１００４およびＲＮＣ１００５の間のトンネルの設定を含むとともに、ＲＮＣ１００５とＵＥ４ １０１１の間の無線ベアラの確立を含んでいる。後者は、個別無線ベアラまたは共有無線ベアラであり得る。個別無線ベアラまたは共有無線ベアラの使用は、例えば、特定の無線セルにおいて同一のＩＭＳ−ＭＢＭＳサービスを受信するユーザの数に依存し得る。セル２ １０１３に関しては、個別無線ベアラがＵＥ４ １０１１に対して決定される。リソースの設定後には、確立されたアップリンクおよびダウンリンクの経路を介してサービスデータをＵＥ４ １０１１へ送ることもＵＥ４から送ることも可能になる。
【００８５】
従来のシステムでは、ＲＮＣが、ＩＭＳダウンリンクデータを提供するＭＢＭＳサービス用にＰＴＰリンク（個別無線ベアラ）を使用すると決定した場合、ＲＡＮ内に確立された２つの個別無線ベアラが存在するが、これらはそれぞれ一方向にのみ使用される。上記の手順の最初の部分、つまりＩＭＳサービス設定の段階では、アップリンク接続とサービスプロバイダへの制御シグナリングのための無線ベアラが確立され、これを通じて、例えば、ＰｏＣサービスの場合のＵＥのユーザの声が送信される。ＭＢＭＳサービス設定においては、サービスデータのダウンリンク送信専用に無線ベアラが確立され、これを通じて、例えば、その他ＵＥのユーザの声がユーザへ提供される。ＲＮＣからノードＢまでのリソース予約のほかに、ノードＢからユーザ装置までの、直交化符号や拡張等のような無線リンクリソースの予約も行われる。
【００８６】
本発明の一実施形態によれば、ＭＢＭＳ設定手順は、すでに確立されたＩＭＳサービスの無線ベアラをダウンリンクＩＭＳデータを提供するために再利用する。
【００８７】
以下では、図２に従って本発明の上記実施形態をさらに詳細に説明する。
【００８８】
アプリケーションサーバ（ＡＳ：application server）２０１は、ユーザ装置２０７へ提供されるＩＭＳサービスのサービスプロバイダである。ＩＭＳサービスは、双方向マルチキャストサービスの典型的なＵＭＴＳ実現であり得る。ＩＭＳサービスは、ダウンリンクマルチキャストサービスフレームワークに相当し得るＩＭＳサービスデータのダウンリンク提供のためにＭＢＭＳサービスを利用する。これに応じて、ＢＭ−ＳＣがアップリンクサーバ２０１からユーザに提供されるサービスデータを受信する。インターネットであり得るパケットデータネットワーク（ＰＤＮ：packet data network）２０３は、サービスプロバイダであるＡＳ２０１、ＢＭ−ＳＣ２０２と残りの提供側のネットワーク要素との間に位置し得る。しかし、本発明にとって、パケットデータネットワークがその中間にあろうが、あるいは、サービスプロバイダが同一ネットワークに位置しようが、それは重要ではない。
【００８９】
ＧＧＳＮ２０４は、ＰＤＮ２０３からＳＧＳＮ２０５へのゲートウェイとしての役割を果たす。加えて、ＧＧＳＮ２０４は、ＩＳＤＮネットワークのような回線交換式ネットワークではアクセスポイントにもなり得る。ＳＧＳＮ２０５は、無線アクセスネットワークのＲＮＣ２０６へさらに接続され、ＲＮＣ２０６は、ユーザ装置２０７へさらに接続される。ＲＮＣ２０６とＵＥ２０７の間に相互に接続されるノードＢは省略されているが、ノードＢが存在すること、および、ＲＮＣ２０６はノードＢを介してＵＥ２０７と通信することに留意すべきである。
【００９０】
ＩＭＳアプリケーションサーバ２０１は、ダウンリンクデータの送信のためにＭＢＭＳサービスの利用を決定することができる。本発明は、ＭＢＭＳサービスがＩＭＳサービスのダウンリンクデータの提供に利用されるケースのみを対象とする。
【００９１】
例えば、ＩＭＳダウンリンクデータ用のＭＢＭＳサービスを受信するユーザのグループを登録するパケットデータネットワークによって、新たなＭＢＭＳサービスがＢＭ−ＳＣ２０２に確立される。それに続き、ＩＭＳアプリケーションサーバ２０１は、対応するＭＢＭＳユーザサービス記述をＭＳ−ＭＢＭＳサービスに登録したユーザのグループへ送信する。
【００９２】
その後すぐに、ＭＢＭＳサービス起動プロセスが開始される。まず、ＵＥ２０７がジョイン（Ｊｏｉｎ）メッセージをＧＧＳＮ２０４へ送信し、次に、ＧＧＳＮが許可要求をＢＭ−ＳＣ２０２へ送信する。許可の成功後、ＭＢＭＳコンテキストが有効にされる。これは、各ネットワークノードにおいてＭＢＭＳ ＵＥコンテキストをアクティブにすることを含む。ＩＭＳサービスのＰＤＰコンテキストと同じように、ＭＢＭＳ ＵＥコンテキストは、サービスデータのルーティングに必要な情報からなる。具体的なパラメータは、本明細書中の表１に示される。表１から明らかなように、ＭＢＭＳ ＵＥコンテキストもＩＭＳサービスのＡＰＮを含み、このＡＰＮは、合成のＩＭＳ−ＭＢＭＳサービスの場合には、ＩＭＳサービスのために規定されたＰＤＰコンテキスト内のＡＰＮと同一である。ＵＥ２０７は、そのＭＢＭＳ ＵＥコンテキストがＲＮＣによって削除されないように、ＲＲＣ（Radio Resouce Control：無線リソース制御）接続モードにとどまっていなければならない。
【００９３】
これに続くステップを図３に示す。この図は、本発明の一実施形態により実行される論理的シーケンスを示す。ＩＭＳサービスのＰＤＰコンテキストはＲＮＣ２０６に存在しないので、ＲＮＣ２０６に必要な情報を提供する必要がある。典型的なＵＭＴＳネットワークでは、ＰＤＰコンテキスト情報はＳＧＳＮ２０５とＧＧＳＮ２０４に存在するので、これらのエンティティのいずれかがこの情報をＲＮＣへ送信することができる。
【００９４】
より詳しくは、ＧＧＳＮまたはＳＧＳＮは、ＩＭＳサービスのＰＤＰコンテキスト中にＵＥ２０７のＩＭＳＩ（国際移動局識別）パラメータを保持している。さらに、ＭＢＭＳ ＵＥコンテキストのＡＰＮとＰＤＰコンテキストのＡＰＮとを比較することにより、特定のＵＥに提供されるサービスがＩＭＳ−ＭＢＭＳサービスであるか否かを特定することができる。提供されるサービスがＩＭＳ−ＭＢＭＳサービスである場合、ＧＧＳＮまたはＳＧＳＮは、ＵＥ２０７が登録されているＩＭＳサービスのＡＰＮも含む、ＵＥ２０７に対するＩＭＳサービスのＰＤＰコンテキストをＲＮＣ２０６へ送信する。
【００９５】
その後すぐに、ＲＮＣ２０６は、ＡＰＮを含む受信したＰＤＰコンテキストを有する表を作成する。
【００９６】
続いて、ＭＢＭＳセッション開始手順がＢＭ−ＳＣによって始動され、各ネットワーク要素を介してＲＮＣへ転送される。この手順は、ＭＢＭＳデータの転送のためにネットワーク内のすべての必要なベアラリソースをアクティブにするよう、そして送信の開始が間近であることを登録された各ＵＥへ通知するよう指示する要求である。
【００９７】
ＭＢＭＳセッション開始手順は、ＲＮＣ２０６に至るまで実行される。典型的なＲＡＮリソース設定の前に、ＲＮＣ２０６が特定のＵＥ２０７に対してＰＴＰリンクの使用を決定すれば、ＲＮＣは、ＧＧＳＮまたはＳＧＳＮから受信したＰＤＰコンテキストの情報をチェックし、そこに含まれたＡＰＮとＭＢＭＳ ＵＥコンテキストのＡＰＮとを比較する。両方のＡＰＮが一致すれば、特定のＵＥ２０７はＩＭＳ−ＭＢＭＳサービスに登録されている。
【００９８】
ＲＮＣ２０６は、さらに、特定のＵＥ２０７へ提供されたＩＭＳサービス用に確立された無線ベアラの無線ベアラＩＤを保持し、特定のＵＥ２０７に対して使用されたこの無線ベアラＩＤをダウンリンクＭＢＭＳサービスデータに関連付ける。これにより、ＭＢＭＳサービスは、ＲＡＮ中のすでに確立された無線リソース２０８をその送信のために再利用する。これに伴い、ＭＢＭＳセッション開始手順のＲＡＮリソース設定は中止される。これでシステムリソースの設定は完了し、その後データ転送を開始することができる。
【００９９】
ＩＭＳサービスの設定された個別無線ベアラ２０８は、ＭＢＭＳサービスによって、サービスデータ提供のために利用される。したがって、当該無線ベアラは、ＵＥ２０７からＩＭＳアプリケーションサーバ２０１へのアップリンク接続および制御シグナリングに使用されるとともに、ＢＭ−ＳＣ２０２からＵＥ２０７へのダウンリンク接続にも使用される。本発明の当該実施形態によれば、ＭＢＭＳサービス設定において追加の個別無線ベアラのために無線リソースが浪費されることはない。
【０１００】
図４には、本発明の他の実施形態によるＵＭＴＳネットワークが図示されている。図２に示した前述の実施形態と同様に、ＩＭＳサービスがＩＭＳアプリケーションサーバ４０１からＵＥ４０７へ提供される。これに応じて、ＵＭＴＳネットワークは、ＰＤＮ４０３、ＧＧＳＮ４０４、ＳＧＳＮ４０５、ＲＮＣ４０６およびＭＢＭＳサービスのためのＢＭ−ＳＣ４０２の各要素を有し、これらの要素は、サービスデータのダウンリンク提供のために使用される。ＧＧＳＮ４０４からＳＧＳＮ４０５へのＩＭＳトンネル４１０およびＳＧＳＮ４０５からＲＮＣ４０６へのＩＭＳトンネル４０９の確立を含む、ＩＭＳサービス用のシステムリソースが、設定され予約される。さらに、ＲＮＣ４０６とＵＥ４０７の間には無線ベアラ４０８がＩＭＳサービス用に確立される。
【０１０１】
図５には、本発明の一実施形態によるＭＢＭＳサービスの設定を以下に説明する目的のシーケンス図が示されている。ＭＢＭＳサービス起動プロセス中に、ＵＥ４０７はジョインメッセージをＧＧＳＮ２０４へ送信する。ジョインメッセージは、二次的ＰＤＰコンテキストによって規定されたすでに確立されたＩＭＳデータベアラ、または一次的ＰＤＰコンテキストによって規定されたＩＭＳ制御シグナリングベアラを介してＧＧＳＮ２０４へ送信可能である。次に、ＧＧＳＮ２０４はＢＭ−ＳＣ２０２の許可を要求し、これが成功すれば、ＭＢＭＳサービスのＡＰＮを含むＭＢＭＳ許可応答メッセージが返される。許可の成功後、前述したように、ＭＢＭＳコンテキストが有効にされる。
【０１０２】
ＧＧＳＮ４０４は、ＩＭＳサービスのＰＤＰコンテキスト中にＵＥ４０７のＩＭＳＩ（国際移動局識別）パラメータを保持している。さらに、ＭＢＭＳ ＵＥコンテキストのＡＰＮとＰＤＰコンテキストのＡＰＮとを比較することにより、特定のＵＥ４０７に提供されるサービスがＩＭＳ−ＭＢＭＳサービスであるか否かを特定することができる。提供されるサービスがＩＭＳ−ＭＢＭＳサービスである場合、ＧＧＳＮ４０４は、ＩＭＳサービスの対応するＡＰＮパラメータを含む表にこの特定のＵＥ４０７を記入する。ＧＧＳＮ４０４は、この特定のＵＥ４０７をＲＮＣ４０６へ直接またはＳＧＳＮ４０５を介して通知する。
【０１０３】
次に、ＭＢＭＳセッション開始手順が開始され、ＲＮＣ４０６に至るまで進められる。典型的なＲＡＮリソース設定の前に、ＲＮＣ４０６が特定のＵＥに対してＰＴＰリンクの使用を決定すれば、ＲＮＣ４０６は、その特定のＵＥがＧＧＳＮ４０４から受信した通知により指定されたＵＥ４０７であるか否をチェックする。当該ＵＥが指定されたＵＥ４０７であり、ＩＭＳ−ＭＢＭＳサービスを受信するように登録されていれば、ＲＮＣ４０６はこの特定のＵＥ４０７をＧＧＳＮ４０４に通知する。ＲＮＣ４０６からＧＧＳＮ４０４へのこの通知後、ＲＮＣは、ＲＡＮリソース設定手順中リソース予約を開始しない。
【０１０４】
ＧＧＳＮ４０４は、ＲＮＣ４０６からＵＥ４０７に関する情報を含む通知を受信する。続いて、ＧＧＳＮ４０４は、ＰＤＰデータ送信コンテキストのＴＥＩＤをダウンリンクＭＢＭＳサービスデータに割り当てる。したがって、これにより、ＧＧＳＮ４０４は、ＭＢＭＳサービスデータをすでに設定されたＩＭＳデータトンネル４１０にルーティングする。ＧＧＳＮ４０４とＳＧＳＮ４０５の間、およびＳＧＳＮ４０５からＲＮＣ４０６への追加のトンネルは必要ないので、帯域幅等のシステムリソースが浪費されることはない。
【０１０５】
コアネットワークにおけるトンネルの設定は、トンネルの実現と用途に応じて明確なリソース予約を含み得る。音声呼向けの標準のＵＭＴＳ実現においては、帯域幅等のリソースを予約する必要はないと考えられる。しかし、よりたくさんのリソースを必要とするビデオ会議やビデオストリーミングのような用途では、特定のトンネルの設定されたサービス品質（ＱｏＳ：Quality of Service）パラメータに従って明確なリソース予約を行うことが得策であり得る。
【０１０６】
上記のとおり、ＵＥからＧＧＳＮ４０４へジョインメッセージを送信するのに使用されたＩＭＳ無線ベアラがどちらであるかにより、ＧＧＳＮ４０４はそれに対応するリソース識別子を探さなければならない。ＩＭＳ制御シグナリングベアラが使用された場合は、ＧＧＳＮ４０４はＩＭＳデータベアラを規定する二次的ＰＤＰコンテキストを探さなければならない。ＩＭＳデータベアラが使用された場合には、リソースはＭＢＭＳ ＵＥコンテキストによって識別され、データはＳＧＳＮ４０５へ転送され得る。
【０１０７】
その結果、ＳＧＳＮ４０５は、ＩＭＳデータトンネル４１０を通じてＭＢＭＳサービスデータを受信し、それをＩＭＳデータトンネル４０９を通じてＲＮＣ４０６へ転送するので、すでに確立されたネットワークリソースを再利用することになる。したがって、追加のトンネルの確立は行わないので、システムリソースを節約可能である。したがって、ＲＮＣ４０６は、ＩＭＳトンネル４０９を介してＭＢＭＳサービスデータを受信し、そこですでに確立された無線ベアラ４０８を通じてＵＥ４０７へそれを転送する。
【０１０８】
追加の無線ベアラやトンネルを設定せず、追加のシステムおよび無線リソースを予約することもないので、浪費がない。本発明の当該実施形態によれば、これは、ＧＧＳＮ４０４においてダウンリンクＭＢＭＳサービスデータをＩＭＳトンネルに再マッピングし、それによりトンネル４１０、４０９および無線ベアラ４０８を再利用することによって実現される。
【０１０９】
図６には、本発明の他の実施形態によるＵＭＴＳネットワークが図示されている。このＵＭＴＳシステムは、図２および図４に示した前述の実施形態のシステムと同様である。ダウンリンクＩＭＳサービスデータを送信するために、ＭＢＭＳサービスを利用してＩＭＳサービスが提供される。本ＵＭＴＳネットワークは、次のネットワーク要素、つまり、ＩＭＳアプリケーションサーバ６０１、ＢＭ−ＳＣ６０２、ＰＤＮ６０３、ＧＧＳＮ６０４、ＳＧＳＮ６０５、ＲＮＣ６０６およびＵＥ６０７から構成される。
【０１１０】
上記の説明のとおり、必要なＰＤＰコンテキストとＭＢＭＳコンテキストが設定される。ＧＧＳＮ６０４とＳＧＳＮ６０５の間のトンネルおよびＳＧＳＮ６０５とＲＮＣ６０６の間のトンネル６０９の確立を含む、ＩＭＳサービス用のシステムリソースの設定は、すでに行われている。さらに、ＲＮＣからＵＥへの無線ベアラ６０８が設定される。
【０１１１】
ＭＢＭＳサービスの設定は、図５に例示した前述の実施形態の１つとよく似ている。しかし、この場合は、ＳＧＳＮ６０５がＩＭＳ−ＭＢＭＳサービスに登録された各ＵＥをＲＮＣに通知する。したがって、ＲＮＣ６０６がこの特定のＵＥ６０７に対してＰＴＰ接続を使用する決定をした後、それに続くこれからＰＴＰ接続をするＵＥ４０７の通知はＳＧＳＮ６０５へ送信され、ＭＢＭＳセッション設定手順のＲＡＮリソース設定は中止される。したがって、ＳＧＳＮ６０５がＵＥ６０７の情報を含む通知を受信し、ＰＤＰデータ送信コンテキストのＴＥＩＤをダウンリンクＭＢＭＳサービスデータに割り当てる。ＭＢＭＳサービスのダウンリンクデータは、二次的トンネルを通さずに、これによりＩＭＳトンネル６０９を通じてＲＮＣ６０６へ送信される。その結果、システムリソースを予約しなくてもよく、二次的トンネルに浪費されることもない。ＲＮＣ６０６がＭＢＭＳサービスデータをＩＭＳトンネルから受信でき、ひいてはそれをすでに存在する無線ベアラ６０８を介してＵＥ６０７へ転送できる、再トンネリングが行われる。
【０１１２】
図７には、ダウンリンクＩＭＳサービスデータを送信するためにＭＢＭＳサービスを利用するＩＭＳサービスの設定のフローチャートが示されている。これは、設定手順をただ論理的に説明する概要フローチャートである。ここでのネットワークシステムは、図１のシステムに相当し、コアネットワーク内のネットワークエンティティ（ＮＥ）、無線アクセスネットワーク内の制御エンティティ（ＣＥ）、およびユーザ装置ＵＥ１から構成されている。図７に示した実施形態は、図４〜図６に説明した実施形態に相当し、コアネットワークのネットワークエンティティは、あるケースではＳＧＳＮであり、他のケースではＧＧＳＮである。
【０１１３】
このフローチャートは、ＩＭＳサービス用のリソース設定７０１から開始する。これは、ＮＥとＣＥ間のトンネルおよびＣＥとＵＥ１間の無線リソース、より具体的には無線ベアラの確立を含む。
【０１１４】
ネットワークエンティティは、ダウンリンクマルチキャストサービスアーキテクチャ（ＭＢＭＳ）を利用した双方向サービス（ＩＭＳ）に登録されている各ＵＥを識別するための必要な情報を保持する。このＵＥ１に関して、ＮＥはＣＥに通知する７０２。ＣＥはこの情報を受信し、ＭＢＭＳセッション開始手順を開始し、ＣＥはＵＥ１に対してＰＴＰ接続を使用するか否かを決定する７０４。ＰＴＰ接続が決定される場合は、ＣＥはこの決定をＮＥへ通知する。
【０１１５】
上記のようにＵＥ１に関する通知をＣＥへ送信した７０２後、ＮＥは、ＵＥ１に対してＰＴＰを使用する決定に関するＣＥの通知を受信するかどうか待つ７０６。ＮＥは通知を受信すると７０６、すでに確立されたＩＭＳリソース７０１の検出７０７へ進む。確立されたＩＭＳトンネルはそのＴＥＩＤから識別され、このＴＥＩＤがＭＢＭＳサービスデータへ割り当てられ７０８、その結果、サービスデータはＩＭＳトンネルを介してＣＥへ転送される。ＣＥはＩＭＳトンネルを通じてサービスデータを受信し、それに応じて、ＩＭＳサービス用に確立された７０１ＰＴＰリンクを介してサービスデータをＵＥ１へ転送する７０９。ＵＥ１は、ＩＭＳサービスの個別無線ベアラ（ＰＴＰチャネル）を通じてサービスデータを受信する７１０。
【０１１６】
ＣＥエンティティがＵＥ１に対してＰＴＰ接続を使用しないと決定する場合７０４、ＮＥへの通知は送信されず、よってＣＥでは通知を受信しない７０６。その後、ＮＥからＣＥへの追加のトンネルが確立される７２０。さらに、ＮＥでは、ＭＢＭＳリソースが確立されているか否かが見直される７２２。リソースが設定または予約されていなければ、ＵＥ１へのＰＴＭ共有チャネルの確立７２３が必要になる。これに応じて、ＵＥ１は、ＣＥからＵＥ１へのＭＢＭＳサービス用のＰＴＭ共有チャネルを受け入れる７２４。ＰＴＭ接続が決定される場合には、無線セル内の他のユーザに対する以前の設定によって共有無線ベアラがすでに利用可能である可能性がある。
【０１１７】
ＮＥでは、ＩＭＳ−ＭＢＭＳサービスデータが確立されたＭＢＭＳトンネルを介してＣＥへ転送され７２１、ＣＥではサービスデータを受信後、確立された共有無線ベアラを介してＵＥ１へ転送される７２５。最後に、ＵＥ１は、ＰＴＭチャネルを通じてＭＢＭＳサービスデータを受信する７２６。
【０１１８】
図８には、サービスプロバイダの役割を果たすＩＭＳアプリケーションサーバ８０１を含む、ＵＭＴＳネットワークが図示されている。ＩＭＳサービスは、ＵＥ１ ８１１、ＵＥ２ ８０９およびＵＥ３ ８１０の複数のＵＥへ提供される。ネットワークノードであるＧＧＳＮ８０４、ＳＧＳＮ８０５およびＲＮＣ８０６は、各ＵＥへ向けたおよび各ＵＥから送信されたサービスデータを転送する。２つの基地局、第１のノードＢ８０７と第２のノードＢ８０８がＲＮＣ８０６に接続されて、２つの異なる無線セル８１２、８１３への供給元になっている。この図を用いて、２つのセル間のハンドオーバ手順を説明する。
【０１１９】
仮定として、当初、３個のＵＥ８０９〜８１１は第１のセル８１２に位置していたとする。サービスデータは、ＰＴＭリンク８１４を介して第１のノードＢからこの無線セル内のサービスに登録されたすべてのＵＥ（この例では各ＵＥ８０９〜８１１に相当する）へ提供される。各ＵＥから第１のノードＢへのアップリンク送信用の個別ベアラは省略されているが、すでに確立されているものとする。
【０１２０】
ＵＥ１ ８１１が第１のセル８１２から第２のセル８１３へ移動する場合、ＲＮＣは第２のセル内でサービスを受信するＵＥの数をチェックする。仮定として、第２のセルには他のＵＥは存在しないとすれば、ＵＥ１ ８１１に対してＰＴＰ接続をしようとＲＮＣは決定する。ＩＭＳの個別無線ベアラが確立され、本発明の前述の実施形態のとおり、このすでに確立された無線ベアラがダウンリンクＭＢＭＳデータをＵＥ１へ送信するためにＭＢＭＳサービスによって再利用される。
【０１２１】
反対のケース、つまりハンドオーバ手順中にＵＥがＰＴＰ接続からＰＴＭ接続へ変わる場合は図８に示されていない。しかし、以下に簡単に説明しておく。
【０１２２】
仮定として、第２のセル８１３を元のセル（ソースセル）としてそこにＵＥ１が位置していたとし、移動先のセル（ターゲットセル）である第１のセル８１２へ移動するものとする。第２のセルでは、このセル内でサービスに登録されたＵＥの数は少ないことから、ＭＢＭＳサービス用にＵＥへのＰＴＰ接続が決定された。すでに複数のＵＥがＰＴＭ接続を介してサービスを受信している移動先のセルへのハンドオーバ中に、ＲＮＣは移動先のセルでは他のＵＥが共有無線ベアラを介して同じサービスを受信していることを知る。ＵＥは移動先セルへのハンドオーバ手順を実行し、ＰＴＭ接続の必要な無線ベアラ情報を取得する。次に、ＵＥは移動先セル内のＰＴＭ接続を介してＭＢＭＳサービスをリッスンする。なお、ＲＮＣは元のセル内のＵＥの前のＰＴＰ無線ベアラサービスを切断する。加えて、ＩＭＳトンネルを通じてＭＢＭＳサービスデータをルーティングする再マッピング動作を無効にするために、本発明の適用される特定の実施形態により異なるが、ＧＧＳＮまたはＳＧＳＮへ通知メッセージが送信されなければならない。これによって、ＩＭＳの個別無線ベアラとＭＢＭＳのＰＴＭ無線ベアラを通じて同一のデータを受信することが回避される。
【０１２３】
上記の実施形態に説明されたシステムおよび図２、図４、図６および図８に示した対応するＵＭＴＳネットワークにおいて本発明は適用可能であるが、これらのシステムでの適用に限定されないことにさらに留意すべきである。それどころか、図９は、その他のコアネットワークのエンティティを有するＵＭＴＳネットワークアーキテクチャを示す。コアネットワーク要素としてＳＧＳＮおよびＧＧＳＮを使用する代わりに、ＰＤＮ９０３側とＲＮＣ９０５側への単独のアクセスポイントとしてゲートウェイ９０４が実装される。ゲートウェイ９０４は、本発明の実施形態におけるネットワークエンティティとして使用される。
【０１２４】
さらに、典型的なＵＭＴＳ実現においてはＧＧＳＮまたはＳＧＳＮであり得るネットワークエンティティは、双方向マルチキャストサービスデータを複数のユーザへ転送する。これらのユーザは、ＲＡＮの制御エンティティ、つまりＲＮＣからＰＴＭおよびＰＴＰ接続を介してダウンリンクマルチキャストサービスフレームワークを利用してサービスデータを受信することができる。システムリソースは、複数のユーザが設定されたＰＴＭ接続を介してサービスデータを受信するように設定される。少なくとも一人のユーザは設定されたＰＴＰ接続を介してサービスデータを受信する。
【０１２５】
この場合、一方ではＰＴＰ無線ベアラを使用して一人のユーザへ、他方ではＰＴＭ無線ベアラを使用して複数のユーザへサービスデータを送信するためには、データパケットを複製する必要がある。これは、コアネットワークのネットワークエンティティにおいてまたは無線アクセスネットワークの制御エンティティにおいて行うことができる。
【０１２６】
合成のＩＭＳ−ＭＢＭＳサービスを利用するユーザ端末を識別するための別の可能性は、これらの特異なＩＭＳ−ＭＢＭＳサービスにだけ使用される特有の（unique）マルチキャスト識別子を採用することである。これは、例えば、"ims-mbms.server.com"のような特有のアクセスポイント名（ＡＰＮ）が可能である。この方策は、ＩＭＳ用とＭＢＭＳサービス設定用に規定されたそれぞれのコンテキスト中の２つのマルチキャスト識別子の比較を不必要にする。さらに、図２および図３の実施形態に関して、特有のＡＰＮを使用することより、２つのサービスを結合するための情報（ＡＰＮ）をＲＮＣへ提供するために、ＩＭＳ ＰＤＰコンテキストをＧＧＳＮまたはＳＧＳＮからＲＮＣへ最初に送信する必要はもはやない。ＲＮＣに記憶されたＭＢＭＳ ＵＥコンテキストをチェックし、ＩＭＳ−ＭＢＭＳサービスを利用するＵＥを明確に指定するＡＰＮを探すことでこと足りる。
【０１２７】
本発明の他の実施形態は、ハードウェアおよびソフトウェアを使用した、上述した様々な実施形態の実現に関する。本発明の多様な実施形態は、例えば、汎用プロセッサとしてのコンピューティングデバイス（プロセッサ）、デジタルシグナルプロセッサ（ＤＳＰ）、特定用途向け集積回路（ＡＳＩＣ）、フィールドプログラマブルゲートアレイ（ＦＰＧＡ）またはその他のプログラム可能な論理回路などを使用して実現可能または実施可能であることが認識される。本発明の多様な実施形態は、上記のデバイスの組合せによっても実施または実現し得る。
【０１２８】
さらに、本発明の多様な実施形態は、プロセッサで実行されるまたは直接ハードウェアに組み込むソフトウェアモジュールを用いても実現可能である。また、ソフトウェアモジュールとハードウェア実装の組合せも可能である。ソフトウェアモジュールまたは命令は、コンピュータで読取り可能などんな種類の記憶媒体（例えば、ＲＡＭ、ＥＰＲＯＭ、ＥＥＰＲＯＭ、フラッシュメモリ、レジスタ、ハードディスク、ＣＤ−ＲＯＭ、ＤＶＤなど）に記憶されてもよい。
【図面の簡単な説明】
【０１２９】
【図１】本発明の一実施形態による移動通信システムを示す図
【図２】本発明の一実施形態によるＵＭＴＳ通信システムを示す図
【図３】本発明の一実施形態によるＭＢＭＳサービス設定に伴うシステムリソース設定のシーケンス図
【図４】本発明の他の実施形態によるＵＭＴＳネットワークを示す図
【図５】本発明の他の実施形態によるＭＢＭＳサービス設定に伴うシステムリソース設定のシーケンス図
【図６】本発明の他の実施形態によるＵＭＴＳネットワークを示す図
【図７】ＩＭＳ−ＭＢＭＳサービス設定のフローチャート
【図８】ハンドオーバ手順を説明する本発明の他の実施形態によるＵＭＴＳネットワークを示す図
【図９】コアネットワーク内に異なるアーキテクチャをもつＵＭＴＳネットワークを示す図
【図１０】典型的なＭＢＭＳ通信システムを示す図
【図１１】ＩＭＳ−ＭＢＭＳサービスの論理的シーケンス図
【図１】
2009524307.tif 000004
【図２】
2009524307.tif 000005
【図３】
2009524307.tif 000006
【図４】
2009524307.tif 000007
【図５】
2009524307.tif 000008
【図６】
2009524307.tif 000009
【図７】
2009524307.tif 000010
【図８】
2009524307.tif 000011
【図９】
2009524307.tif 000012
【図１０】
2009524307.tif 000013
【図１１】
2009524307.tif 000014
【国際調査報告】
2009524307.tif 000015
2009524307.tif 000016
2009524307.tif 000017
2009524307.tif 000018
2009524307.tif 000019